【手続補正書】
【提出日】平成17年5月27日(2005.5.27)
【手続補正１】
【補正対象書類名】明細書
【補正対象項目名】発明の名称
【補正方法】変更
【補正の内容】
【発明の名称】画像信号処理装置及び方法
【手続補正２】
【補正対象書類名】明細書
【補正対象項目名】特許請求の範囲
【補正方法】変更
【補正の内容】
【特許請求の範囲】
【請求項１】
ウェーブレット変換を用いた画像信号処理装置において、
ウェーブレット変換後の第１のサブバンド成分の係数データのエラーを検出するエラー検出手段を有し、
前記エラー検出手段の結果に応じて、
前フレームのウェーブレット変換後の第１のサブバンド成分の係数データ、または
後フレームのウェーブレット変換後の第１のサブバンド成分の係数データ、または
前記前フレームの係数データと前記後フレームの係数データの平均値の何れかを用いて、
現フレームのウェーブレット変換後の第１のサブバンド成分の係数データのエラーを補間する補間手段を有する亊を特徴とする画像処理装置。
【請求項２】
前記第１のサブバンドと異なる現フレームの第２のサブバンド成分の係数データと、
前フレームの第２のサブバンド成分の係数データ、または
後フレームの第２のサブバンド成分の係数データとの相関性を得る比較手段を有し、
前記比較手段の比較結果に応じて、前記補間手段に用いる第１のサブバンド成分の係数データを選択する亊を特徴とする前記第１項記載の画像処理装置。
【請求項３】
ウェーブレット変換を用いた画像信号処理方法において、
ウェーブレット変換後の第１のサブバンド成分の係数データのエラーを検出するエラー検出工程を有し、
前記エラー検出工程の結果に応じて、
前フレームのウェーブレット変換後の第１のサブバンド成分の係数データ、または
後フレームのウェーブレット変換後の第１のサブバンド成分の係数データ、または
前記前フレームの係数データと前記後フレームの係数データの平均値の何れかを用いて、
現フレームのウェーブレット変換後の第１のサブバンド成分の係数データのエラーを補間する補間工程を有する亊を特徴とする画像処理方法。
【請求項４】
前記第１のサブバンドと異なる現フレームの第２のサブバンド成分の係数データと、
前フレームの第２のサブバンド成分の係数データ、または
後フレームの第２のサブバンド成分の係数データとの相関性を得る比較工程を有し、
前記比較工程の比較結果に応じて、前記補間工程に用いる第１のサブバンド成分の係数データを選択する亊を特徴とする前記第３項記載の画像処理方法。
【手続補正３】
【補正対象書類名】明細書
【補正対象項目名】０００５
【補正方法】変更
【補正の内容】
【０００５】
しかし、実際には実現可能なレベルまでのウェーブレット変換を行いハードを実現させる。ハードとしてこの二次元ウェーブレット変換を行う際には、一次元のフィルターを二段階処理させる図４の方式が一般的である。
【手続補正４】
【補正対象書類名】明細書
【補正対象項目名】００１０
【補正方法】変更
【補正の内容】
【００１０】
次に、ＬＬ、ＬＨ成分は合成用水平ローパスフィルタ１７１を、ＨＬ、ＨＨ成分は合成用水平ハイパスフィルタ１７２をそれぞれ通過させられた後、加算器１８１へ入れられ、水平方向の成分が合成され、メモリ１８２上へ出力画像として復元される。
【手続補正５】
【補正対象書類名】明細書
【補正対象項目名】００１２
【補正方法】変更
【補正の内容】
【００１２】
本発明は上記問題に鑑みてなされたもので、その目的とする処は、サブバンド成分に補間を掛けることができる画像信号処理装置及び方法を提供することにある。
【手続補正６】
【補正対象書類名】明細書
【補正対象項目名】００１３
【補正方法】変更
【補正の内容】
【００１３】
【課題を解決するための手段】
上記目的を達成するため、本発明は、
ウェーブレット変換を用いた画像信号処理装置において、
ウェーブレット変換後の第１のサブバンド成分の係数データのエラーを検出するエラー検出手段を有し、前記エラー検出手段の結果に応じて、前フレームのウェーブレット変換後の第１のサブバンド成分の係数データ、または後フレームのウェーブレット変換後の第１のサブバンド成分の係数データ、または前記前フレームの係数データと前記後フレームの係数データの平均値の何れかを用いて、現フレームのウェーブレット変換後の第１のサブバンド成分の係数データのエラーを補間する補間手段
を備えたことを特徴とする。
【手続補正７】
【補正対象書類名】明細書
【補正対象項目名】００１４
【補正方法】変更
【補正の内容】
【００１４】
又、本発明は、前記第１のサブバンドと異なる現フレームの第２のサブバンド成分の係数データと、前フレームの第２のサブバンド成分の係数データ、または後フレームの第２のサブバンド成分の係数データとの相関性を得る比較手段を有し、前記比較手段の比較結果に応じて、前記補間手段に用いる第１のサブバンド成分の係数データを選択することを特徴とする。
【手続補正８】
【補正対象書類名】明細書
【補正対象項目名】００１６
【補正方法】変更
【補正の内容】
【００１６】
図１は本発明の二次元ウェーブレット変換デコーダ装置のブロック図を示す。図１において、１０１，１０４はメモリー上のＬＬ、ＨＨ現画面各サブバンド成分係数データ、１０２はメモリー上の前フレームＬＬサブバンド成分係数データ、１０３はメモリー上の後フレームＬＬサブバンド成分係数データ、１０５はメモリー上の前フレームＨＨサブバンド成分係数データ、１０６はメモリー上の後フレームＨＨサブバンド成分係数データ、１０９は係数発生器、１１０はメモリー上のＨＨサブバンド成分係数データのエラー検知回路、１０８，１１１はスイッチ、１１２，１１３は垂直方向アップサンプラ、１１４はＬＬサブバンド成分用の合成用垂直ローパスフィルタ、１１５はＨＨサブバンド成分用の合成用垂直ハイパスフィルタ、１１６は加算器、１１７はメモリ上の出力画像データである。
【手続補正９】
【補正対象書類名】明細書
【補正対象項目名】００１９
【補正方法】変更
【補正の内容】
【００１９】
又、現フレームのＬＬサブバンド成分係数と現フレームに隣接する１枚前のフレームのＬＬ成分係数（ＢＬＬ）と、１枚後のフレームのＬＬサブバンド成分係数（ＮＬＬ）を比較器１０７で比較し、動き情報を検出する。或は、各フレームのＬＬサブバンド成分係数との間の差分値が予め決められている値以上であれば、現フレームとそれに隣接する１枚前のフレームと１枚後のフレームの同一位置のＬＬ成分係数データの間には、相関が低いと見なす。
【手続補正１０】
【補正対象書類名】明細書
【補正対象項目名】００２５
【補正方法】変更
【補正の内容】
【００２５】
以上説明したように、本実施の形態での補間処理が行われたサブバンド成分係数データは、先ず、垂直方向アップサンプラ１１２，１１３で係数データ、０、係数データ、０、係数データという具合にゼロデータを挿入して各データ数を倍にする。次に、ＬＬ成分は合成用垂直ローパスフィルタ１１４を、ＨＨ成分は合成用垂直ハイパスフィルタ１１５を通過させた後、加算器１１６へ入れられ、メモリ１１７上へ補間済みの出力画像として復元される。
【手続補正１１】
【補正対象書類名】明細書
【補正対象項目名】００２８
【補正方法】変更
【補正の内容】
【００２８】
【発明の効果】
以上の説明で明らかなように、本発明によれば、ウェーブレット変換後のデータエラーを補間する画像信号処理装置においては、各サブバンド成分係数データ別のエラー検出装置のエラー検出結果に応じ、当該サブバンド成分係数データのエラーデータを補間する又は補間しないの何れかを選択する手段を備えたことにより、サブバンド成分に補間を掛けることが可能になった。
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】変更
【補正の内容】
【００３０】
更に、ウェーブレット変換後のデータエラーを補間する画像信号処理装置において、サブバンド成分係数データのエラー検出装置にてエラーが検出された場合には、当該サブバンド成分係数データのエラーデータを前後隣接フレームのサブバンド成分係数データの画面上同一位置の係数データを用いて補間する手段を備えたことにより、簡易な補間回路で済み、複雑な補間演算が不要になった。
【手続補正１４】
【補正対象書類名】明細書
【補正対象項目名】符号の説明
【補正方法】変更
【補正の内容】
【符号の説明】
１０４  メモリー上のＨＨサブバンド成分係数データ
１０２  メモリー上の前フレームＬＬサブバンド成分係数データ
１０５  メモリー上の前フレームＨＨサブバンド成分係数データ
１０３  メモリー上の後フレームＬＬサブバンド成分係数データ
１０６  メモリー上の後フレームＨＨサブバンド成分係数データ
１０９  係数発生器
１１０  メモリー上のＨＨサブバンド成分係数データのエラー検知回路
１１５  ＨＨ成分用の合成用垂直ハイパスフィルタ
１１６  加算器
１１７  メモリ上の出力画像データ